(57)【特許請求の範囲】
【請求項１】
内容器が外容器内に空隙部を隔てて収容され、これら内容器と外容器とが溶着接合により一体に成形され、
外容器の内底面に、溶着時に発生する内外容器の破片を捕捉する破片捕捉材が設けられていることを特徴とする断熱容器。
【請求項２】
破片捕捉材は、表面粘着性を有し、容器破片を表面に付着させることにより捕捉することができるようになっていることを特徴とする請求項１記載の断熱容器。
【請求項３】
外容器に、空隙部に通じる通気孔が形成され、
破片捕捉材は、複数設けられ、これら破片捕捉材が、通気孔を挟んで対向配置されていることを特徴とする請求項１または２記載の断熱容器。
【請求項４】
外容器に、空隙部に通じる通気孔が形成され、
破片捕捉材は、この通気孔を囲むように設けられていることを特徴とする請求項１または２記載の断熱容器。
【請求項５】
内容器外面と外容器内面のうち少なくともいずれか一方に、輻射防止材が設けられていることを特徴とする請求項１〜４のうちいずれか１項記載の断熱容器。
【請求項６】
空隙部内に、空気より熱伝導率の低い低熱伝導率ガスが封入されていることを特徴とする請求項１〜５のうちいずれか１項記載の断熱容器。
【請求項７】
外容器が、非透明材料からなるものであることを特徴とする請求項１〜６のうちいずれか１項記載の断熱容器。
【発明の詳細な説明】
【０００１】
【発明の属する技術分野】
本発明は、保温機能を有する食器などとして用いられる断熱容器に関し、詳しくは内容器と外容器とが一体に成形された二重壁構造の断熱容器に関する。
【０００２】
【従来の技術】
従来、合成樹脂製の内容器を、合成樹脂製の外容器内に空隙部を隔てて収容し一体に成形した二重壁構造の断熱容器が用いられている。
この種の断熱容器としては、内容器と外容器とが、開口端等において互いに溶着接合されたものが多く用いられている。
この断熱容器は、内容器を、空隙部を隔てて外容器内に収容し、これら内容器と外容器とを開口端等において振動溶着などの溶着法により互いに接合する方法によって製造されている。内容器と外容器との溶着接合を行う際には、溶着部分から内外容器の破片（いわゆるバリ粉）が発生し、この容器破片が内容器と外容器の間の空隙部内に残ることがある。
【０００３】
【発明が解決しようとする課題】
上記断熱容器では、この容器を動かす際などに、空隙部内の容器破片が容器内壁に衝突し異音が発生することがあった。
また、容器材料として透明材料を用いる場合には、空隙部内の破片が外部から視認できるようになるため、容器の外観が損なわれる不満があった。
【０００４】
図５に示すように、特許第３０３５２８８号公報には、内容器５２が外容器５３内に収容され、これらが開口端５２ａ、５３ａにて溶着され、内外容器５２、５３間の空隙部５４に輻射防止材５５が設けられ、内容器５２外面の開口端５２ａ近傍に、表面粘着性を有する破片移動阻止材５６が設けられた断熱容器が開示されている。
この断熱容器では、溶着部分からの容器破片を破片移動阻止材５６によって捕捉し、破片が空隙部５４内に落下するのを防ぐことができるようになっている。
この断熱容器は、破片移動阻止材５６を内容器５２の開口端５２ａ付近の外面側に設置した後、この内容器５２を外容器５３内に収容し、内外容器５２、５３の開口端５２ａ、５３ａを互いに溶着することによって製造される。
この断熱容器では、破片移動阻止材５６が、溶着部分である容器開口端５２ａの近傍に設けられているため、製造するにあたって内容器５２と外容器５３とを組み合わせる際に、内容器５２側に設置された破片移動阻止材５６が外容器５３に付着してしまうことがあった。
この場合には、内外容器５２、５３の組み合わせ作業がしにくくなるため、生産効率が低下する問題があった。また破片移動阻止材５６が内外容器双方に付着した状態となった場合には、破片移動阻止材５６を介した内外容器間の伝熱により断熱性能が低下することがあった。
【０００５】
このほか、断熱容器としては、内外容器が曲面をなす椀状に形成され、これら内外容器間に、アルミニウム箔などからなる輻射防止材を設置したものもある。
この容器は椀状に形成されているため、輻射防止材をこの容器に沿う形状に形成するのが難しく、容器の曲面部において、輻射防止材が部分的に重なり合ったり、しわが生じた状態となりやすい。このため、輻射防止材が部分的に容器曲面部に密着せず、離れた状態となることがある。特に容器開口端近傍において、輻射防止材は設置面から離れた状態となりやすい。
この容器に上記破片移動阻止材を適用すると、内容器と外容器を組み立てる際に、破片移動阻止材に輻射防止材が付着しやすく、輻射防止材および破片移動阻止材を介した内外容器間の伝熱によって断熱性能の低下が生じることがあった。
本発明は、上記事情に鑑みてなされたもので、溶着時に発生する容器破片による外観低下や異音発生を防ぐことができ、しかも生産効率を低下させることなく、断熱性能の低下を防ぐことができる断熱容器を提供することを目的とする。
【０００６】
【課題を解決するための手段】
本発明の断熱容器は、内容器が外容器内に空隙部を隔てて収容され、これら内容器と外容器とが溶着接合により一体に成形され、外容器の内底面に、溶着時に発生する前記容器の破片を捕捉する破片捕捉材が設けられていることを特徴とする。
破片捕捉材は、表面粘着性を有し、前記破片を表面に付着させることにより捕捉することができるようになっているのが好ましい。
本発明では、外容器に、空隙部に通じる通気孔が形成され、破片捕捉材が、複数設けられ、これら破片捕捉材が、通気孔を挟んで対向配置されている構成とすることができる。
またこれら複数の破片捕捉材を、通気孔の周囲に配置しても良い。
また本発明では、破片捕捉材が通気孔を囲むように設けられている構成とすることもできる。
内容器外面と外容器内面のうち少なくともいずれか一方には、輻射防止材を設けることができる。
空隙部内には、空気より熱伝導率の低い低熱伝導率ガスが封入された構成を採用することができる。
外容器には、非透明材料を用いることができる。
【０００７】
【発明の実施の形態】
本発明の断熱容器は、内容器が外容器内に空隙部を隔てて収容され、これら内容器と外容器とが一体に成形された二重壁構造を有する。
この断熱容器は、内容器と外容器とが開口端等において互いに溶着接合されることによって一体とされている。
内容器および外容器の材料としては、金属、合成樹脂などが使用可能であり、特に合成樹脂を使用するのが好ましい。
なかでも、Ｏ2、Ｎ2、ＣＯ2に関して１ｇ／ｍ2／２４ｈｒ／ａｔｍ以下の気体透過率を示す合成樹脂を用いることが好ましい。気体透過率が上記範囲を越えると、空隙部内のガスが内容器および外容器を透過して外部に逃散しやすくなる。
内容器および外容器の材料に用いられる合成樹脂の好適な例としては、ポリエステル樹脂を挙げることができる。なかでも特に、ガスバリア性、耐薬品性等の点からポリエチレンナフタレート樹脂を用いるのが好ましい。
内容器および外容器には、非透明材料を用いても良いし、透明材料を用いても良いが、外容器に非透明材料を用いると、空隙部内の容器破片を視認しにくくなるため好ましい。
【０００８】
外容器には、空隙部に通じる通気孔が形成されていることが好ましい。この通気孔は、空隙層内の排気や、空隙部内へのガス導入を行うためのものである。
通気孔は、外容器に形成された嵌合凹部内に形成された構成とすることができる。
この通気孔は、液状硬化型接着剤により外容器に接着された封止板によって封止される。液状硬化型接着剤としては、シアノアクリレート系接着剤を用いるのが好ましい。
【０００９】
内容器と外容器の底部における間隔は、７ｍｍ以下とするのが好ましい。この間隔が上記範囲を越えると、空隙部内を排気する際に、破片捕捉材の外方に位置する容器破片が、通気孔に向かって移動する過程で破片捕捉材の上方を通過してしまい、破片捕捉材に捕捉されにくくなるため好ましくない。
【００１０】
封止板の材料としては、合成樹脂を用いることができ、特にポリカーボネートを用いるのが好ましい。封止板は、嵌合凹部内に嵌合させた状態で外容器に接着することによって通気孔を封止するのが好ましい。
【００１１】
内容器外面と外容器内面のうち少なくとも一方には、金属などからなる輻射防止材を設け、輻射伝熱による伝熱損失の低減を図るのが好ましい。
この輻射防止材としては、アルミニウム箔、銅箔、銀箔等の金属箔や、金属蒸着テープを用いることができる。
【００１２】
本発明の断熱容器では、外容器の内底面に、溶着時に発生する容器の破片を捕捉する破片捕捉材が設けられている。
この破片捕捉材は、表面粘着性を有し、前記破片を表面に付着させることにより捕捉することができるように構成するのが好ましい。
破片捕捉材の具体例としては、表面粘着性を有する両面粘着テープ、弾性接着剤を挙げることができる。
両面粘着テープとしては、紙、布、セロハン、合成樹脂（ポリ塩化ビニル、ポリエチレン、ポリエステル等）などからなるテープ基材の表面に、粘着剤層を形成したものが使用可能である。粘着剤としては、一般に粘着テープに用いられるシリコン系樹脂、ポリイソブチレン、アクリル樹脂などが好適である。
弾性接着剤としては、シリコン系樹脂、エポキシ系樹脂などを主材とするものが使用可能である。
この弾性接着剤として好適な市販品としては、セメダイン社製スーパーＸ、コニシ社製サイレックスを挙げることができる。
【００１３】
本発明では、破片捕捉材が複数設けられ、これら破片捕捉材が、通気孔を挟んで対向配置されている構成とすることができる。
また破片捕捉材は、通気孔を囲むように設けることもできる。
【００１４】
空隙部には、空気より熱伝導率が低い低熱伝導率ガスを封入するのが好ましい。この低熱伝導率ガスとしては、キセノン（熱伝導率κ＝０．５２×１０-2Ｗ・ｍ-1・Ｋ-1；０℃）、クリプトン（κ＝０．８７×１０-2Ｗ・ｍ-1・Ｋ-1；０℃）、アルゴン（κ＝１．６３×１０-2Ｗ・ｍ-1・Ｋ-1；０℃）のうち少なくとも１種のガスを用いることが好ましい。なお空気の熱伝導率κは、２．４１×１０-2Ｗ・ｍ-1・Ｋ-1（０℃）である。
【００１５】
以下、上記断熱容器を製造する方法の一例を説明する。
内容器を外容器内に収容し、これら内容器と外容器とを、振動溶着法、回転溶着法、熱板溶着法などの溶着法により開口端等において互いに接合することにより一体化する。
内容器と外容器との接合を行う際には、溶着部分から発生した内外容器の破片（いわゆるバリ粉）が内容器と外容器の間の空隙部内に残ることがある。
次いで、内容器と外容器との間の空隙部内の空気を、外容器の通気孔を通して真空排気ポンプ等により真空排気するのが好ましい。
この真空排気の際には、空隙部内の容器破片が、空気とともに通気孔に向かって移動することがあるが、容器破片の一部は、通気孔に向かって移動する過程で破片捕捉材に捕捉される。
複数の破片捕捉材が通気孔を挟んで対向配置されている場合には、破片捕捉材の外方に位置する容器破片の大部分が、通気孔に向かって移動する過程で破片捕捉材に捕捉される。
さらに、破片捕捉材が通気孔を囲むように設けられている場合には、破片捕捉材の外方に位置する容器破片が、通気孔に向かって移動する過程で確実に破片捕捉材に捕捉される。
このため、容器破片によって通気孔が閉塞するのを未然に防ぐことができる。
【００１６】
次いで、通気孔を通して低熱伝導率ガスを空隙部内へ導入するのが好ましい。
次いで、通気孔付近の外容器表面に液状硬化型接着剤を供給した後、その上に封止板を当て、封止板を接着剤によって外容器表面に接着する。これによって通気孔は封止され、上記構成の断熱容器が得られる。
【００１７】
本発明の断熱容器では、以下に示す効果を得ることができる。
（１）溶着接合時に発生した容器破片が空隙部内に残った場合、この容器破片の大部分は、重力に従って容器底部に集まることになる。
本発明では、破片捕捉材が外容器内底面に設けられているので、底部に集まった容器破片を確実に捕捉することができる。このため、空隙部内の容器破片の大部分を破片捕捉材によって捕捉することができる。
従って、容器を動かす際などに空隙部内の破片が容器壁に衝突するのを防ぎ、異音発生を防止することができる。
【００１８】
（２）破片捕捉材が外容器の内底面に設けられているので、容器に透明材料を用いた場合でも、破片捕捉材を容器底部以外の箇所に設けた場合に比べ、破片捕捉材およびこれに捕捉された容器破片を外部から視認しにくくすることができる。
従って、断熱容器の外観の悪化を防ぐことができる。
特に、外容器下部を着色したり装飾を施すことによって、内容物視認性などの透明材料の利点を損なうことなく、破片捕捉材および破片を目立ちにくくすることができる。
【００１９】
（３）破片捕捉材が外容器内底面に設けられているので、内容器と外容器とを組み合わせて開口端で接合する際に、内容器が破片捕捉材に接触することがほとんど起こらない。
従って、破片捕捉材が内容器に付着することにより組立作業がしにくくなるのを防ぎ、生産効率の低下を防ぐことができる。
また破片捕捉材が内外容器双方に付着した状態となるのを防ぎ、破片捕捉材を介した内外容器間の伝熱により断熱性能が低下するのを防ぐことができる。
これに対し、破片捕捉材が容器の開口端近傍に設けられている場合には、内外容器を開口端にて組み合わせる際に、一方の容器側の破片捕捉材が他方の容器に付着しやすくなり、生産効率や断熱性能の低下が起こりやすくなる。
【００２０】
（４）内外容器が曲面をなす椀状に形成され、これら内外容器間にアルミニウム箔などからなる輻射防止材を設置した場合には、輻射防止材を容器に沿う形状に形成するのが難しいため、輻射防止材の一部、特に容器開口端近傍の部分が設置面から離れた状態となりやすい。
これに対し、本発明では、破片捕捉材が外容器内底面に設けられているので、輻射防止材が容器から離れた状態となった場合でも、内容器と外容器とを組み合わせて開口端で接合する際に、輻射防止材が破片捕捉材に接触し付着するのを防ぐことができる。
従って、破片捕捉材および輻射防止材を介した内外容器間の伝熱による断熱性能の低下を防ぐことができる。
【００２１】
（５）破片捕捉材は内容器と外容器との間に設置されるため、断熱容器を製造する際には、内容器と外容器とを組み合わせるのに先だって、破片捕捉材の設置を行うことになる。
本発明では、破片捕捉材を外容器の内底面に設けるので、破片捕捉材を設置した外容器を複数用意し、これら外容器を重ね合わせた状態としても、破片捕捉材が他の外容器に付着することが起こりにくくなる。
従って、破片捕捉材を設置した複数の外容器を重ね合わせた状態とすることができ、作業スペースの削減および生産効率の向上を図ることができる。
【００２２】
（６）破片捕捉材として、表面粘着性を有し、容器破片を表面に付着させることにより捕捉することができるものを用いることによって、容器破片を破片捕捉材の表面に付着させることができる。このため、容器破片を確実に捕捉することができる。
従って、異音発生や外観悪化を確実に防ぐことができる。
【００２３】
（７）破片捕捉材が、複数設けられ、これら破片捕捉材が、通気孔を挟んで対向配置された構成とすることによって、空隙部内を排気する際に、破片捕捉材の外方に位置する容器破片の大部分が、通気孔に向かって移動する過程で破片捕捉材に捕捉されるようになる。
従って、排気時において容器破片により通気孔が閉塞するのを防ぐことができる。
【００２４】
（８）破片捕捉材を、通気孔を囲むように設けることによって、空隙部内を排気する際に、破片捕捉材の外方に位置する容器破片が、通気孔に向かって移動する過程で確実に破片捕捉材に捕捉されるようになる。
従って、排気時において容器破片により通気孔が閉塞するのを確実に防ぐことができる。
【００２５】
【実施例】
以下、具体例を示して本発明の断熱容器を説明する。
（第１実施例）
図１および図２は、本発明の断熱容器の第１実施例を示すもので、ここに示す断熱容器１は、内容器２を外容器３内に空隙部４を隔てて収容し一体に成形された二重壁容器５と、内容器２の外面に設けられた輻射防止材６と、外容器３の外面に設けられた封止板７とを備えている。
内容器２は、円形の底板部８と、底板部８の周縁から上方に向かって拡径しつつ延出する側板部９とから構成されている。
【００２６】
外容器３は、円形の底板部１０と、底板部１０の周縁から上方に向かって拡径しつつ延出する側板部１１とから構成されている。
底板部１０の下面側のほぼ中央には、平面視円形の嵌合凹部１２が形成されている。嵌合凹部１２のほぼ中央には、外容器３を貫通する通気孔１３が形成されている。
内容器２および外容器３の材料としては、ポリエチレンナフタレートが用いられている。またポリエチレンナフタレート以外のポリエステル樹脂も使用可能である。
通気孔１３は、シアノアクリレート系の液状硬化型接着剤によって嵌合凹部１２の内面に接着された封止板７によって封止されている。
【００２７】
本実施例の断熱容器１では、外容器３の底板部１０の内面である内底面１０ａに、表面粘着性を有する両面粘着テープである破片捕捉材１４が貼り付けられている。
図２に示すように、破片捕捉材１４は、互いにほぼ平行に配置された直線状の第１および第２破片捕捉材１４ａ、１４ｂからなる。
これら破片捕捉材１４ａ、１４ｂは、通気孔１３を挟んで対向配置されている。破片捕捉材１４ａ、１４ｂは、両端部が、底板部１０の周縁近傍に至るように配置されている。
破片捕捉材１４ａ、１４ｂとしては、セロハン製のテープ基材の両面に粘着剤層を形成した両面粘着テープを用いた。
【００２８】
輻射防止材６としては、アルミニウム箔が用いられている。輻射防止材６は、内容器２の外面にほぼ全面にわたって設けられている。
輻射防止材６は、内容器２の外底面において内容器２に接着されている。
【００２９】
以下、この断熱容器１の製造方法について説明する。
外容器３の内底面１０ａに破片捕捉材１４を貼り付けるとともに、内容器２の外面に、輻射防止材６を貼り付ける。
次いで、この内容器２を外容器３内に収容し、内容器２の開口端２ａと、外容器３の開口端３ａとを全周にわたって振動溶着法により溶着する。
次いで、内容器２と外容器３との間の空隙部４内の空気を、外容器３の通気孔１３を通して真空排気ポンプ等により真空排気した後、通気孔１３を通して低熱伝導率ガスを空隙部４内へ導入する。
次いで、嵌合凹部１２内面にシアノアクリレート系接着剤を塗布した後、封止板７を嵌合凹部１２の内面に接着し、図１に示す断熱容器１を得る。
【００３０】
本実施例の断熱容器１は、以下に示す効果を得ることができる。
（１）破片捕捉材１４が、外容器３の内底面１０ａに設けられているので、容器底部の容器破片を確実に捕捉することができる。このため、空隙部４内の容器破片の大部分を破片捕捉材１４によって捕捉することができる。
従って、容器１を動かす際などに空隙部４内の破片が容器壁に衝突するのを防ぎ、異音発生を防止することができる。
（２）容器破片を外容器３の内底面１０ａにおいてて捕捉することができるため、容器２、３の材料として透明材料を用いる場合でも、容器破片を視認しにくくし、断熱容器１の外観が損なわれるを防ぐことができる。
（３）破片捕捉材１４が外容器３の内底面１０ａに設けられているので、内容器２と外容器３とを組み合わせて開口端２ａ、３ａで接合する際に、内容器２が破片捕捉材１４に接触し付着することが起こりにくい。
従って、組立作業を容易にし、生産効率の低下を防ぐことができる。
また破片捕捉材１４を介した内外容器２、３間の伝熱により断熱性能が低下するのを防ぐことができる。
（４）この断熱容器１では、内容器２が曲面をなす椀状に形成されているため、輻射防止材６が、特に容器開口端近傍において内容器２外面から離れた状態となりやすい。
本実施例の断熱容器１では、破片捕捉材１４が外容器３の内底面１０ａに設けられているので、内容器２と外容器３とを組み合わせて開口端２ａ、３ａで接合する際に、輻射防止材６が破片捕捉材１４に接触し付着するのを防ぐことができる。
従って、輻射防止材６が内容器２外面から離れた状態となりやすいにも拘わらず、破片捕捉材１４および輻射防止材６を介した内外容器２、３間の伝熱による断熱性能の低下を防ぐことができる。
（５）破片捕捉材１４を外容器３の内底面１０ａに設けるので、破片捕捉材１４を設置した外容器３を複数用意し、これら外容器３を重ね合わせた状態としても、破片捕捉材１４が他の外容器３に付着することが起こりにくくなる。
従って、破片捕捉材１４を設置した複数の外容器３を重ね合わせた状態とすることができ、作業スペースの削減および生産効率の向上を図ることができる。
（６）破片捕捉材１４として、表面粘着性を有する両面粘着テープを用いることによって、容器破片を破片捕捉材１４の表面に付着させ、確実に捕捉することができる。従って、異音発生や外観悪化を確実に防ぐことができる。
（７）破片捕捉材１４が、２つの破片捕捉材１４ａ、１４ｂからなり、これら破片捕捉材１４ａ、１４ｂが、通気孔１３を挟んで対向配置されているので、空隙部４内を排気する際に、破片捕捉材１４の外方に位置する容器破片の大部分が通気孔１３に向かって移動する過程で破片捕捉材１４に捕捉されるようになる。
従って、排気時において、容器破片により通気孔１３が閉塞するのを防ぐことができる。
【００３１】
（第２実施例）
図３に示す断熱容器２１は、破片捕捉材１４に代えて、弾性接着剤からなる破片捕捉材２４が用いられていること以外は、図１に示す第１実施例の断熱容器１と同様の構成とされている。
破片捕捉材２４は、環状に形成され、底板部１０の周縁よりもやや内方に、通気孔１３を囲むように設けられている。
破片捕捉材２４としては、弾性接着剤であるセメダイン社製スーパーＸが用いられている。破片捕捉材２４として好適な弾性接着剤としては、コニシ社製サイレックスを挙げることもできる。
【００３２】
本実施例の断熱容器２１は、第１実施例の断熱容器１と同様に、容器破片による異音発生や外観悪化を防ぎ、しかも生産効率を低下させることなく断熱性能の低下を防ぐことができる。
さらに、この断熱容器２１では、破片捕捉材２４が、通気孔１３を囲むように設けられているので、空隙部４内を排気する際に、破片捕捉材２４の外方に位置する容器破片が、通気孔１３に向かって移動する過程で破片捕捉材２４に確実に捕捉されるようになる。
従って、排気時において、容器破片により通気孔１３が閉塞するのを確実に防ぐことができる。
【００３３】
（第３実施例）
図４に示す断熱容器３１は、内壁体３２を外壁体３３内に空隙部３４を隔てて収容し一体に成形された二重壁容器３５と、この二重壁容器３５の空隙部３４内に設けられた断熱層体３６と、内壁体３２の外面に設けられたアルミニウム箔からなる輻射防止材３７と、断熱層体３６の外面に設けられた封止板３８とを備えている。
内外壁体３２、３３の材料としては、耐薬品性に優れたポリカーボネートが用いられている。内外壁体３２、３３には、ポリプロピレン、ＡＢＳ樹脂も使用可能である。
【００３４】
断熱層体３６は、内壁体３２の外面に沿う形状の内容器４２を、外壁体３３の内面に沿う形状の外容器４３内に空隙部４４を隔てて収容し、一体に成形された二重壁構造の容器である。
内容器４２および外容器４３の材料としては、ガスバリア性に優れたポリアミド樹脂（ナイロン６）が用いられている。内外容器４２、４３には、エチレンビニルアルコール樹脂も使用可能である。
これら内容器４２と外容器４３とを備えた断熱層体３６は、外容器４３の底部のほぼ中央に形成された通気孔４５を通して空隙部４４内に低熱伝導率ガスが充填され、通気孔４５が封止板３８によって封止された構成とされている。
【００３５】
本実施例の断熱容器３１では、外容器４３の内底面４３ａに、図３に示す第２実施例に示した破片捕捉材２４と同様の構成の環状の破片捕捉材４６が設けられている。この破片捕捉材４６には、弾性接着剤であるセメダイン社製スーパーＸが用いられている。
なお、図中符号４７は、この断熱容器３１を閉止する蓋を示す。
【００３６】
断熱層体３６は、内容器４２を外容器４３内に収容し、内容器４２の開口端４２ａと、外容器４３の開口端４３ａとを全周にわたって振動溶着法により溶着し、これら内外容器４２、４３間の空隙部４４内に、通気孔４５を通して低熱伝導率ガスを導入し、通気孔４５を封止板３８によって封止することによって作製する。
この断熱層体３６を外壁体３３内に収容した状態で、外壁体３３と内壁体３２とを組み合わせることによって、上記構成の断熱容器３１を得る。
【００３７】
本実施例の断熱容器３１は、第１実施例の断熱容器１と同様に、容器破片による異音発生や外観悪化を防ぎ、しかも生産効率を低下させることなく断熱性能の低下を防ぐことができる。
【００３８】
第１ないし第３実施例では、内容器と外容器とを開口端において接合した断熱容器を例示したが、本発明の断熱容器はこれに限定されるものでなく、内筒部と内底部と外筒部が一体に成形された内筒有底二重筒体の外筒部下端に、外底部となる外底部材が空隙部を隔てて接合された断熱容器をはじめとする、あらゆる形状の二重壁容器に適用することができる。
【００３９】
【発明の効果】
以上説明したように、本発明の断熱容器にあっては、内容器が外容器内に空隙部を隔てて収容され、これら内容器と外容器とが溶着接合により一体に成形され、外容器の内底面に、溶着時に発生する前記容器の破片を捕捉する破片捕捉材が設けられているので、溶着時に発生する容器破片による外観低下や異音発生を防ぐことができ、しかも生産効率を低下させることなく断熱性能の低下を防ぐことができる。
【図面の簡単な説明】
【図１】  本発明の断熱容器の第１実施例を示す一部断面図である。
【図２】  本発明の断熱容器の第１実施例を示すもので、（ａ）は平面図、（ｂ）は一部断面図である。
【図３】  本発明の断熱容器の第２実施例を示すもので、（ａ）は平面図、（ｂ）は一部断面図である。
【図４】  本発明の断熱容器の第３実施例を示す一部断面図である。
【図５】  従来の断熱容器の一例を示すもので、（ａ）は全体構成図であり、（ｂ）は要部拡大図である。
【符号の説明】
１、２１、３１・・・断熱容器、２、４２・・・内容器、３、４３・・・外容器、４、４４・・・空隙部、６、３７・・・輻射防止材、１３、４５・・・通気孔、１４、２４、４６・・・破片捕捉材
【図１】
0004503197.tif 000002
【図２】
0004503197.tif 000003
【図３】
0004503197.tif 000004
【図４】
0004503197.tif 000005
【図５】
0004503197.tif 000006